(57)【要約】【課題】糸や錘に対する釣針の動きの自由度が高くエサの水中での操作を向上して獲物のおびき寄せ効果を期待できるとともに、簡単な操作で短時間で種々の錘を交換できるうえ、魚が仕掛けに掛かった際のアタリもわかりやすく、釣果を向上させうる釣り用変わりテンヤ仕掛けを提供する。【解決手段】道糸Ｔに接続されるとともに端部側が獲物を掛ける釣針１２に連結されるハリス部糸１４と、ハリス部糸１４の長手方向に移動自在に連係されハリス部糸１４の吊支時に下端が釣針１２近傍に配置される錘１６と、ハリス部糸１４の長手方向に移動自在に係合しつつ錘１６の着脱交換器２４を有する移動連係装置１８と、ハリス部糸１４に対して釣針１２のチモト１２ａが自在に動きうるように遊びをもってハリス部糸１４の端部と釣針１２とが連結される遊び連結機構２０と、を備えた釣り用変わりテンヤ仕掛け１０から構成される。【選択図】図１
0003175019.tif 000002
【実用新案登録請求の範囲】
【請求項１】
道糸に接続されるとともに端部側が獲物を掛ける釣針に連結されるハリス部糸と、
ハリス部糸の長手方向に移動自在に連係されハリス部糸の吊支時に下端が釣針近傍に配置される錘と、
ハリス部糸の長手方向に移動自在に係合しつつ錘の着脱交換器を有する移動連係装置と、
ハリス部糸に対して釣針のチモトが自在に動きうるように遊びをもってハリス部糸の端部と釣針とが連結される遊び連結機構と、を備えたことを特徴とする釣り用変わりテンヤ仕掛け。
【請求項２】
遊び連結機構は、釣針のチモト側に設けた第１の環部と、ハリス部糸の端部側に設けた第２の環部との鎖接続構造で構成されていることを特徴とする請求項１記載の釣り用変わりテンヤ仕掛け。
【請求項３】
いずれかの環部がテグスループにより形成されていることを特徴とする請求項２記載の釣り用変わりテンヤ仕掛け。
【請求項４】
第１の環部がテグスループで形成されると共に、第２の環部が２端に結合環を有する直状サルカンの１つの結合環で形成されることを特徴とする請求項２又は３記載の釣り用変わりテンヤ仕掛け。
【請求項５】
移動連係装置は、ハリス部糸の吊支時に錘と釣針が天秤状に離された位置で支持されるようにハリス部糸と錘を移動自在に連係させる天秤状遊動部材を含むことを特徴とする請求項１ないし４のいずれかに記載の釣り用変わりテンヤ仕掛け。
【請求項６】
天秤状遊動部材は、２つの結合環をハリス部糸が直状に通係し、他の結合環に着脱交換器が接続された三つ又サルカンからなることを特徴とする請求項５記載の釣り用変わりテンヤ仕掛け。
【考案の詳細な説明】
【技術分野】
【０００１】
本考案は、魚等の釣り用のテンヤ仕掛けに関し、特に伝統的なテンヤ仕掛けに改良を加えた釣り用変わりテンヤ仕掛けに関する。
【背景技術】
【０００２】
魚釣りの仕掛けは、釣果を大きく左右する重要な要素であり、獲物の種類、川や潮の流れ、季節、釣り場の環境等に応じて多数多様な仕掛けが開発され、利用されている。例えば、マダイ等の魚を釣る際には、従来、錘と針とが一体的に設けられたテンヤ仕掛けが知られている。図６は従来の伝統的なテンヤ仕掛けを示している。図６に示すように、従来のテンヤ仕掛け１００は、円錐台形状の錘１０２の上部側に設けられた横向きに貫通する貫通孔に、軸が長い親針１０４がチモト側を差し込んだ状態で固定されて錘１０２と親針１０４とが一体化して設けられている。親針１０４の針先側とは反対側には可撓性の連結紐１１０が錘１０２から引き出されて一端部が接続されている。その連結紐の他端部にサルカン１１１を介してハリス１１２そして図示しない釣竿の先端から繰り出された道糸に接続されている。親針１０４の錘１０２に固定される根元側には、先端に孫針１０６が連結された孫ハリス１０８の基端部が固定されている。魚を釣る際には、テンヤ仕掛け１００の親針１０４に、エサとなるエビＳｒを尾側から刺し、エビを略直線状に伸ばした状態で孫針１０６をエビＳｒの頭部に係止させる。そして、テンヤ仕掛けを水中に投げ入れ海底まで下ろし、道糸等を介して該テンヤ仕掛けを水中で上げたり下げたりを繰り返してエビが泳いでいるように操作して、獲物の魚を誘き寄せて釣るものであった（例えば、非特許文献１参照）。
【先行技術文献】
【非特許文献】
【０００３】
【非特許文献１】田中  徹、［インターネットサイト名：とーるｄｅございます］、［テンヤ釣りってなんだ？＜鴨居式テンヤ道具（たて釣り）仕掛け＞］、［online］、［平成２４年１月２１日検索］、インターネット〈URL：http://homepage2.nifty.com/toru_tanaka/shikake1.gif〉
【考案の概要】
【考案が解決しようとする課題】
【０００４】
従来のテンヤ仕掛けは針と錘が一体化した構造であるから、水中に投げ入れたテンヤ仕掛けを上下に操作して魚を誘き寄せる際に、水中でのエサＳｒの動きが制限されたり、動きの変化が乏しかったりしやすく、誘き寄せ効果に乏しいおそれがあるうえ、高度な操作技術を必要とする場合があった。さらに、魚が仕掛けの餌に食いついた際にアタリが低減され直接的には竿先に伝わりにくく、特に当たりが小さい場合には魚を逃してしまい、釣果に悪影響を及ぼすおそれがあった。また、対象魚の種類や潮の流れ、水の深さ、或いは風の強さ等の条件や環境に応じて、錘を交換して重さの調整を行う必要がある場合には、道糸を一度切断して別の仕掛けに交換して結び付けなおす必要があった。よって、複数のテンヤ仕掛けを準備しておく必要がありコストがかかるとともに、釣り場や船上での持ち運びや管理も不便であるうえ、交換作業も面倒で煩わしいことから、釣果を下げる要因となっていた。さらに、錘に針を固定する加工が必要であるために、加工が煩雑なものとなり、製造しにくい問題があった。
【０００５】
本考案は上記従来の課題に鑑みてなされたものであり、その一つの目的は、糸や錘に対する釣針の動きの自由度が高くエサの水中での操作を向上して獲物のおびき寄せ効果を期待できるとともに、簡単な操作で短時間で種々の錘を交換できるうえ、魚が仕掛けに掛かった際のアタリもわかりやすく、釣果を向上させうる釣り用変わりテンヤ仕掛けを提供することにある。さらに、他の目的は、糸の絡まりを良好に防止できる釣り用変わりテンヤ仕掛けを提供することにある。
【課題を解決するための手段】
【０００６】
上記課題を解決するために本考案は、道糸Ｔに接続されるとともに端部側が獲物を掛ける釣針１２に連結されるハリス部糸１４と、ハリス部糸１４の長手方向に移動自在に連係されハリス部糸１４の吊支時に下端が釣針１２近傍に配置される錘１６と、ハリス部糸１４の長手方向に移動自在に係合しつつ錘１６の着脱交換器２４を有する移動連係装置１８と、ハリス部糸１４に対して釣針１２のチモト１２ａが自在に動きうるように遊びをもってハリス部糸１４の端部と釣針１２とが連結される遊び連結機構２０と、を備えたことを特徴とする釣り用変わりテンヤ仕掛け１０から構成される。
【０００７】
また、遊び連結機構２０は、釣針１２のチモト１２ａ側に設けた第１の環部３４と、ハリス部糸１４の端部側に設けた第２の環部３６との鎖接続構造３８で構成されていることとしてもよい。
【０００８】
また、いずれかの環部（３４、３６）がテグスループにより形成されていることとしてもよい。すなわち、釣針１２のチモト１２ａ側に設けた第１の環部３４がテグスループで形成されてもよいし、ハリス部糸１４の端部側に設けた第２の環部３６がテグスループで形成されてもよい。
【０００９】
また、第１の環部３４がテグスループで形成されると共に、第２の環部３６が２端に結合環４１、４２を有する直状サルカン４０の１つの結合環（４２）で形成されることとしてもよい。
【００１０】
また、移動連係装置１８は、ハリス部糸１４の吊支時に錘１６と釣針１２が天秤状に離された位置で支持されるようにハリス部糸１４と錘１６を移動自在に連係させる天秤状遊動部材２６を含むこととしてもよい。
【００１１】
また、天秤状遊動部材２６は、２つの結合環（３１、３２）をハリス部糸１４が直状に通係し、他の結合環（３３）に着脱交換器２４が接続された三つ又サルカン２８からなることとしてもよい。
【考案の効果】
【００１２】
本考案の釣り用変わりテンヤ仕掛けによれば、道糸に接続されるとともに端部側が獲物を掛ける釣針に連結されるハリス部糸と、ハリス部糸の長手方向に移動自在に連係されハリス部糸の吊支時に下端が釣針近傍に配置される錘と、ハリス部糸の長手方向に移動自在に係合しつつ錘の着脱交換器を有する移動連係装置と、ハリス部糸に対して釣針のチモトが自在に動きうるように遊びをもってハリス部糸の端部と釣針とが連結される遊び連結機構と、を備えたことから、ハリス部糸及び錘に対して釣針の動きの自由度が高い改良型の変わりテンヤ仕掛けを実現し、水中でエサを刺した釣針の動きを向上させて獲物の誘き寄せ効果の向上を期待でき、獲物の食いつきを良くすることができる。さらに、釣針が連結されたハリス部糸が錘に対して長手方向に移動自在なので、仕掛けに魚が掛かった際にアタリがわかりやすく、小さなアタリでも良好に感じとることができる。また、道糸を切断したり、仕掛け全体を交換することなく、対称魚、潮の流れ、水深等の釣り場環境や条件に対応して必要に応じて重さが異なる種々の錘を簡単な操作で短時間で交換できる。それらの結果、釣果の向上を期待できる。また、釣り用仕掛けを簡単な構造で低コストで製造できる。
【００１３】
また、遊び連結機構は、釣針のチモト側に設けた第１の環部と、ハリス部糸の端部側に設けた第２の環部との鎖接続構造で構成されていることから、シンプルかつ簡単な構造で遊び連結機構を実現して仕掛けを低コストで製造できるとともに、水中でも釣針のチモトが自在に動きうる構造を確実に保持して、高い釣果を期待できる。
【００１４】
また、いずれかの環部がテグスループにより形成されている構成とすることにより、水の抵抗が少ないうえ、仕掛けを軽量化して釣針の動きを制限することもなく、簡単な構造で製造も容易であり、低コストで製造できる。
【００１５】
また、第１の環部がテグスループで形成されると共に、第２の環部が２端に結合環を有する直状サルカンの１つの結合環で形成される構成とすることにより、釣針側の構成要素を軽量化して釣針の動きを制限することもなく、釣果の向上を期待できる。また、簡単な構造で低コストで製造できる。
【００１６】
また、移動連係装置は、ハリス部糸の吊支時に錘と釣針が天秤状に離された位置で支持されるようにハリス部糸と錘を移動自在に連係させる天秤状遊動部材を含む構成とすることにより、糸や錘に対して針の自由度が高い構造であっても、糸が絡むのを良好に防止でき、釣果を上げることができる。
【００１７】
また、天秤状遊動部材は、２つの結合環をハリス部糸が直状に通係し、他の結合環に着脱交換器が接続された三つ又サルカンからなる構成とすることにより、簡単で軽量な部材及び構造で天秤状遊動部材を具体的に実現でき、低コストで製造できる。
【図面の簡単な説明】
【００１８】
【図１】本考案の一実施形態に係る釣り用変わりテンヤ仕掛けの要部説明図である。
【図２】図１の釣り用変わりテンヤ仕掛けを釣竿から延長された道糸に連結した全体図である。
【図３】図１の釣り用変わりテンヤ仕掛けのハリス部糸の吊支時の説明図である。
【図４】図１の釣り用変わりテンヤ仕掛けの遊び連結機構周辺の一部拡大図である。
【図５】図１の釣り用変わりテンヤ仕掛けの作用説明図である。
【図６】従来のテンヤ仕掛けの説明図である。
【考案を実施するための形態】
【００１９】
以下、添付図面を参照しつつ本考案の釣り用変わりテンヤ仕掛けの実施の形態について説明する。図１ないし図５は、本考案の釣り用変わりテンヤ仕掛けの一実施形態を示している。本実施形態の釣り用変わりテンヤ仕掛けは、例えば、テンヤ仕掛けの改良型であり、タイ等の対象魚を釣る際に好適に用いられる釣り用仕掛けである。図１ないし図５に示すように、本実施形態において、釣り用変わりテンヤ仕掛け１０（以下、単に「仕掛け１０」ともいう）は、道糸Ｔに接続されるとともに釣針１２が連結されるハリス部糸１４と、ハリス部糸１４に連係される錘１６と、移動連係装置１８と、ハリス部糸１４と釣針１２とを連結する遊び連結機構２０と、を備えている。
【００２０】
本実施形態では、仕掛け１０は、例えば、図２に示すように、釣竿Ｒのリールから巻取り繰り出し自在に繰り出された道糸Ｔの先端に取り付けた例で説明する。本実施形態において、図１、図２に示すように、ハリス部糸１４は、例えば、テグス（釣り糸）からなり、道糸Ｔの先端部分に直結された部分となっている。すなわち、本実施形態では、道糸Ｔの先端側部分がハリス部糸１４となっており、ハリス部糸１４の他端側には、対象魚等の獲物を掛けるための釣針１２が連結される。ハリス部糸１４と釣針１２との連結は、後述の遊び連結機構２０により遊びをもって連結されている。なお、ハリス部１４は、道糸Ｔとは分離したテグスで形成し、サルカンを介してハリス部糸と道糸を接続してもよいし、道糸とハリス部糸とを直結結びで結び連結してもよい。
【００２１】
図１、図４に示すように、釣針１２のチモト１２ａ側には、遊び連結機構２０の一要素を構成する第１の環部３４が一体的に構成されている。本実施形態では、釣針１２は、例えば、比較的大きな親針１２１と、該親針１２１の軸から分岐した孫ハリス１２３で連結された比較的小さな孫針１２２と、の２つの釣針による２連の釣針構成となっている。親針１２のチモト側にハリス部糸１４の他端との連結機構が構成されるとともに、孫ハリス１２３の一端が固定されている。孫針１２２は、孫ハリス１２３の自由端側に接続されており、親針１２１に対して自在に動かして、該親針１２１に刺したエビ等のエサＳｒの他の部位（頭部）に孫針１２２を刺して、エサＳｒを釣針１２に対して確実に保持させることができる。なお、釣針１２の構成は、例えば、１つの釣針のみで構成してもよい。
【００２２】
錘１６は、仕掛け１０を投てきして水中で降下させるための重量物であり、ハリス部糸１４の長手方向に移動自在に連係される。図３に示すように、錘１６は、ハリス部糸１４の吊支時には、該錘１６の下端が釣針１２近傍に配置される。錘１６は、例えば、鉛等の金属製で略紡錘形状又は略水滴状の重量塊体からなる。錘１６の上端には、略Ｕ字状に上端から突設した連結用ループ部１６ａが下端を該錘に１６下端を埋め込ませて一体的に固定されている。
【００２３】
図１、図３に示すように、錘１６は、移動連係装置１８を介してハリス部糸１４に連係されている。移動連係装置１８は、錘１６の着脱交換器２４を有しており、ハリス部糸１４の長手方向に移動自在に係合するように構成される。移動連係装置１８は、錘１６をハリス部糸１４に対して着脱可能に連係させるとともに、該錘１６をハリス部糸の長手方向に移動自在に連係させる遊動状構成を実現している。本実施形態では、移動連係装置１８は、例えば、ハリス部糸１４の吊支時に錘１６と釣針１２が天秤状に離された位置Ｗで支持されるようにハリス部糸１４と錘１６を移動自在に連係させる天秤状遊動部材２６を含む。すなわち、移動連係装置１８は、着脱交換器２４と天秤状遊動部材２６とを含む。
【００２４】
天秤状遊動部材２６は、錘１６と釣針１２とを天秤状部材の両端側で連係させて互いに距離を離した位置Ｗで保持させる天秤様機能と、錘１６をハリス部糸１４の長手方向に移動自在に連係させて遊動式の錘を実現させる遊動連係機能と、を兼用する天秤状遊動手段である。具体的には、天秤状遊動部材２６は、例えば、サルカン基部３０の３方位置に３つの結合環３１、３２、３３が連結軸周り回転自在に連結された三つ又サルカン２８からなる。三つ又サルカン２８は、第１と第３の結合環３１、３３とがサルカン基部３０の直線状の両端に配置され、第２の結合環３２が該サルカン基部３０の中間位置にＴ字状に突出して接続されている。三つ又サルカン２８には、第１と第２の２つの結合環３１、３２をハリス部糸１４が直状に通係し、他の（第３の）結合環３３にスナップ部材等からなる着脱交換器２４が接続される。したがって、三つ又サルカン２８に対して、ハリス部糸１４は、道糸Ｔ側から第２結合環３２に挿通され、他の部分に迂回することなく該第２結合部３２から第１結合環３１に向けて直行的（直接的）に直線状に向かって第１結合環３１の環孔を挿通して通係される。また、三つ又サルカン２８は、Ｌ字状に配置された第１、第２結合環３１、３２とでハリス部糸１４と移動自在に直接係合しているといえる。このように、ハリス部糸１４の吊支時に天秤状遊動部材として三つ又サルカン２８の両端に離隔して設けられた２つの結合環（第１、第３の結合環）に錘１６と釣針１２とが離された位置関係Ｗで配置されることにより、ハリス部糸１４に対して錘１６を長手方向に移動自在に連係させる遊動構成を維持しながら、ハリス部糸１４が錘１６に絡まるのを良好に防止できる。錘の着脱交換器２４は、例えば、ループの一部をスナップ状に開閉するスナップ部２５ａを介して錘１６の連結ループ１６ａを着脱可能に連係するスナップ部材２５からなる。これにより、例えば、道糸を切断することなく、獲物や風の強さ、水の流れ等の条件に応じて、重さが異なる種々の錘を簡単な操作でかつ短時間で交換して釣ることできる。その結果、使い勝手がよく、高い釣果を期待できる。スナップ部材２５は、スナップ部２５ａとは反対側にループ状に設けられる連結ループ２５ｂに三つ又サルカン２８の第３の結合環３３と鎖連結状に遊びをもって連結される。三つ又サルカン２８に対して錘１６がある程度自由な動きを許容する構成となっている。なお、ハリス部糸１４を吊支した際に着脱交換器の三つ又サルカンとの連結部分から錘１６の下端までの長さが短い方が絡み防止等の点で有利である。
【００２５】
図４は、図１の一点鎖線Ｘで囲んだ部分周辺の拡大図、すなわち遊び連結機構の周辺部分の要部拡大図である。図１、図４、図５に示すように、遊び連結機構２０は、ハリス部糸１４に対して釣針１２のチモト１２ａが自在に動きうるように遊びをもってハリス部糸１４の端部と釣針１２とが連結される遊び連結手段である。これにより、従来のテンヤ仕掛け（図６参照）のように錘に針を固定した構成や釣針のチモトにハリスを結びつけた構成と比較して、釣針に刺したエサを錘１６や糸１４に対して自由な角度に変更させて自在に動きうるような緩い連結構成としている。遊び連結機構２０は、例えば、釣針１２のチモト１２ａ側に設けた第１の環部３４と、ハリス部糸１４の端部側に設けた第２の環部３６との鎖接続構造３８で構成されている。
【００２６】
本実施形態では、第１の環部３４は、例えば、釣針１２のチモト１２ａに接続されたテグスループで形成されている。テグスループは、テグスをＵ字状に曲げ、釣針１２の軸の端部から延長状に突出するように配置された状態でＵ字の両端をチモト１２ａにテープや接着剤等の任意の固定手段で固定されている。一方、第２の環部３６は、ハリス部糸１４の端部に連結された直状サルカン４０の１つの結合環４２で形成されている。第１、第２の環部３４、３６は、それぞれのループ環部の孔が比較的大きく、十分な遊びをもってループどうしをリング連結されている。直状サルカン４０は、サルカン基部の両端に第１、第２の結合環４１、４２が連結軸周り回転自在に連結されている。直状サルカン４０の一方の第１結合環４１には、三つ又サルカン２８の第１結合環３１を通係したハリス部糸１４の端部が結び付けられている。直状サルカン４０の他方の第２結合環４２が第２の環部３６となり、釣針１２側の第１の環部３４であるテグスループが鎖接続されている。ハリス部糸１４において、三つ又サルカン２８の第１結合環３１と直状サルカン４０の第１結合環４１との間には、例えば、球状の中間部材４４が連係されている。中間部材４４は、例えば、軽量なプラスチック等で球形に形成されており、直径方向に貫通された貫通孔内にハリス部糸１４が貫通されてハリス部糸１４の長手方向に移動自在に設けられている。また、中間部材４４の大きさを変更すれば、錘１６と釣針１２との離隔距離を調整することもできる。なお、遊び連結機構２０は上記の構成に限定されることはなく、例えば、ハリス部糸１４側の第２の環部４２をテグスループにより形成してもよい。また、釣針１２側の第１の環部４１は、例えば、チモトに一体的に固定したリング等で構成してもよい。また、遊び連結機構２０は、ハリス部糸１４の端部に対して釣針のチモト１２ａが自在に動きうるように遊びのある緩い結合構造であれば任意の構成でもよい。
【００２７】
次に、本実施形態にかかる釣り用変わりテンヤ仕掛け１０の作用について説明する。魚を釣る際には、道糸Ｔの先端側に仕掛け１０を取り付けておく。図１に示すように、テンヤ仕掛け１０の釣針１２の親針１２１にエサとなるエビＳｒを尾側から刺し、該エビＳｒを略直線状に伸ばした状態で孫針１２２をエビＳｒの頭部に係止させる。次に、仕掛け１０を海に投げ入れ、錘の重量で海底まで下ろす。図３に示すように、天秤状遊動部材２６により釣針１２と錘１６とを離した位置関係Ｗで支持するので、仕掛け１０の投入時及び水中での操作などの際に糸が絡まるのを良好に防止できる。図５にも示すように、道糸等を介して水中の所望の高さまで仕掛け１０を上げたり、再び沈めたりする操作を繰り返して、海中で釣針１２に刺したエビＳｒがあたかも泳いでいるように動かすことで獲物を誘き寄せて魚を釣る。この際、遊び連結機構により、釣針１２に刺したエビＳｒの動きの自由度が高く、獲物に対する誘き寄せ効果を向上でき、獲物が仕掛けに食いつきやすく、釣果の向上を期待できる。獲物が仕掛け１０のエサに食いついて釣針１２に掛かった際には、移動連係装置１８によりハリス部糸の長手方向に錘が移動自在となるので、ハリス部糸に錘等の抵抗がほとんどかかることなくすなわち魚のアタリがほとんど低減されることなく、釣針１２側からの力が直接的にハリス部糸及び道糸に伝達されるので、竿先に魚のアタリを容易に感知することができる。これにより、高い釣果を期待できる。また、予め重さが異なる複数の錘を用意して置けば、釣り場の条件や必要に応じて着脱交換器２４を介して種々の錘１６を簡便に交換して、好適な錘の条件で釣りを行うことができ、釣果を上げることができる。
【００２８】
以上説明した本考案の釣り用変わりテンヤ仕掛けは、上記した実施形態のみの構成に限定されるものではなく、実用新案登録請求の範囲に記載した本考案の本質を逸脱しない範囲において、任意の改変を行ってもよい。
【産業上の利用可能性】
【００２９】
本考案の釣り用変わりテンヤ仕掛けは、魚を釣る際の釣り用仕掛けとして好適に適用できる。
【符号の説明】
【００３０】
１０    釣り用変わりテンヤ仕掛け
１２    釣針
１４    ハリス部糸
１６    錘
１８    移動連係装置
２０    遊び連結機構
２４    着脱交換器
２６    天秤状遊動部材
２８    三つ又サルカン
３１    第１結合環
３２    第２結合環
３３    第３結合環
３４    第１の環部
３６    第２の環部
３８    鎖接続構造
４０    直状サルカン
４２    第２結合環
【図１】
0003175019.tif 000003
【図２】
0003175019.tif 000004
【図３】
0003175019.tif 000005
【図４】
0003175019.tif 000006
【図５】
0003175019.tif 000007
【図６】
0003175019.tif 000008